(57)【要約】【課題】  異なる高さの天板を備えた一台のカートターミナルで立ち姿勢と椅子に掛けた姿勢の何れの姿勢による作業等であっても適切な姿勢で行うことを可能にするナースカート用什器を提供する【解決手段】  側面視略逆Ｔ状のサイドフレームＳＦと、左右に離間させて配置する前記サイドフレームＳＦの対面する上部と下部の間を繋ぐ上部連結フレーム３及び下部連結フレーム４と、左右の前記サイドフレームＳＦの前面と後面に上下方向の位置を可変に設ける２枚の天板５，６と、前記上部連結フレーム３又は天板５，６に配置した電源コンセントを含む電気コネクタ３ｃを備えてナースカート用什器に形成した。【選択図】図１
2020192176.tif 000002
【特許請求の範囲】
【請求項１】
側面視略逆Ｔ状のサイドフレームと、左右に離間させて配置する前記サイドフレームの対面する上部と下部の間を繋ぐ上部連結フレーム及び下部連結フレームと、左右の前記サイドフレームの前面と後面に上下方向の位置を可変に設ける２枚の天板と、前記上部連結フレーム又は天板に配置した電源コンセントを含む電気コネクタを備えるナースカート用什器。
【請求項２】
前記サイドフレームは、前後方向に水平に延びた足部と、該足部の略中央部位から立上がった支柱部とを備え、前記支柱部が、横向き略凹状の平断面形状を有する強度部材と該強度部材の開放面を塞ぐ着脱式のカバー部材を備える請求項１のナースカート用什器。
【請求項３】
前面と後面に上下方向の位置を可変に設ける前記２枚の天板は、左右の前記支柱部の前後両面の少なくとも上半側に、上下方向で位置可変に設けたブラケット状の天板支持部材に支持させて設ける請求項１又は２のナースカート用什器。
【請求項４】
前面と後面に高さが異なるように設けた前記２枚の天板は、高い天板を立ち姿勢で使用する高さに、低い天板を椅子に掛けて使用する高さに、夫々に設定して設ける請求項１〜３のいずれかのナースカート用什器。
【請求項５】
前記高い天板は、接近配置されるナースカートのトップボードの上に非接触で被さる高さである請求項４のナースカート用什器。
【請求項６】
前記低い天板は、接近配置されるナースカートのトップボードの下に非接触で位置する請求項４又は５のナースカート用什器。
【請求項７】
前記電源コンセントを含む電気コネクタは、前記上部連結フレームの上面又は前後両面、又は前記２枚の天板の下面に設ける請求項１〜６のいずれのナースカート用什器。
【発明の詳細な説明】
【技術分野】
【０００１】
本発明は、病院等で使用されるナースワゴンやナースカート等と称されるカートや台車（以下、ナースカートという。）の複数台を集合配置させ、必要な備品等の搭載や電子機器の充電等を行うためにナースセンターやその隣接場所に設置されるナースカート用什器（以下、ナースカートターミナル又はカートターミナルという）に関する。
【背景技術】
【０００２】
入院患者がいる病院では、看護師が各患者の間を巡回し、各患者の血圧、心拍数、体温等の測定、点滴液や包帯等の交換など必要な措置を採るために、パソコンを含む必要な機器、機材、用具、用品等を搭載するナースカートが使用されている。
【０００３】
上記ナースカートは、例えばナースセンターに各看護師が集合するとき、各人が携行していた夫々のナースカートを、カートターミナルの周囲に接合状態で並べて配置することが行われる。
【０００４】
ナースカートが集合したカートターミナルでは、各看護師が業務上使用しているパソコンやＰＨＳ等の電源を充電したり、配置したナースカート上でパソコンを操作するなどの業務も行われる。
【０００５】
ところで、従来のカートターミナルには、図７、図８に示すように、正面視略横向き長方形状で前後幅が小さめの筺体部Ｓｂの左右を、略逆Ｔ状のサイドフレームＳＦで支持してカートターミナルＣＴを形成し、このカートターミナルＣＴの筐体部Ｓｂの上部の前後に広がる天板Ｂｔを設けたものがある。なお、Ｓｐは天板Ｂｔを支持するブラケット状支持部材である。
【０００６】
従来のカートターミナルには、ナースカートをカートターミナルに接近させた天板Ｔｂの高さがナースカートのトップボードの上に被さる高さに設定し、看護師等が立ち姿勢で天板Ｂｔの上で作業等ができるようにしたものと、図７、図８に示したように天板Ｂｔの高さを椅子に掛けて使用できる低い高さにしたものがある。
【０００７】
カートターミナルで行う作業や業務には、立ち姿勢で行う方が作業等が行い易いものと、椅子に掛けて落ち着いて行う必要があるものとがあるため、カートターミナルの天板の高さがどちらか一方に固定されていると、他方の高さに向いた業務が行い難いという問題がある。この点に鑑み、近時、天板の高さをモータシリンダ等の動力で自由に変更できるようにした天板を備えたカートターミナル等の什器が提案されている。
【０００８】
しかし、動力を用いて高さを変更できる天板の構成を、従来のカートターミナルに適用すると、構造が複雑になって製品価格が高額になってしまう難点のほか、付加される天板の昇降機構が嵩張ってナースカートをカートターミナル接近させにくくする問題もある。
【先行技術文献】
【特許文献】
【０００９】
【特許文献１】特開２０１３−２２６１８８号公報
【発明の概要】
【発明が解決しようとする課題】
【００１０】
本発明は、従来のナースカートターミナルの天板の高さが一定であったため使い勝手の面で難点があったことに鑑み、異なる高さの天板を備えた一台のカートターミナルで立ち姿勢と椅子に掛けた姿勢の何れの姿勢による作業等であっても適切な姿勢で行うことを可能にするカートターミナルを提供することを課題とする。
【課題を解決するための手段】
【００１１】
上記課題を解決することを目的としてなされた本発明カートターミナルの構成は、側面視略逆Ｔ  状のサイドフレームと、左右に離間させて配置する前記サイドフレームの対面する上部と下部の間を繋ぐ上部連結フレーム及び下部連結フレームと、左右の前記サイドフレームの前面と後面に上下方向の位置を可変に設ける前面と後面で高さが異なる２枚の天板と、前記上部連結フレーム又は天板に配置した電源コンセントを含む電気コネクタを備えることを特徴とする。
【００１２】
本発明において、前記サイドフレームは、前後方向に延びた水平な足部と、該足部の略中央部位から立上がった支柱部とを備え、前記支柱部が、横向き略凹状の平断面形状を有する強度部材と該強度部材の開放面を塞ぐ着脱式のカバー部材を備えている。
【００１３】
本発明カートターミナルにおける高さが異なる前記２枚の天板は、左右の前記支柱部の前後両面の少なくとも上半側に、上下方向で位置可変に設けたブラケット状の天板支持部材に支持させて設けることができる。
【００１４】
また、高さが異なる前記２枚の天板は、高い天板を立ち姿勢で使用する高さに、低い天板を椅子に掛けて使用する高さに、夫々に設定して設ける。
【００１５】
上記天板において高い天板は、カートターミナルに接近配置されるナースカートのトップボードの上に非接触で被さる高さであり、低い天板は、接近配置されるナースカートのトップボードの下に非接触で位置する高さである。
【００１６】
本発明カートターミナルにおいて、電源コンセントを含む電気コネクタは、前記上部連結フレームの上面又は前後両面、又は前記２枚の天板の下面に設けることができる。
【００１７】
本発明においては、対面する前記サイドフレームの下部に、ナースカートが接近配置されるときそのナースカートのキャスタ付の足に対しストッパとして機能するバンパーを設ける。このバンパーは左右のサイドフレームの連結フレームの機能もある。
【００１８】
また本発明では、前記上部連結フレームと下部のバンパーの間には、幕板を含むパネル部材を設けることができる。
【発明の効果】
【００１９】
本発明は、ナースカート用のターミナル什器であるカートターミナルを、立ち姿勢で作業等を行える高さの天板と、椅子に掛けた姿勢で作業等を行うことができる高さの天板を備えた構成にしたから、一台のカートターミナルで高さ違いの天板を利用した適切な姿勢で作業等を行うことができる。また、そのための構成は、機械式昇降機構を用いたものに比べ支柱部周りの形態が簡素であり、従ってナースカートの接近配置をさせ易く、しかも構造が簡単であるから容易かつ低コストで製造、提供することができる。
【図面の簡単な説明】
【００２０】
【図１】本発明カートターミナルの一例の正面側の斜視図。
【図２】図１のカートターミナルの側面側の斜視図。
【図３】図１のカートターミナルの縦断側面図
【図４】サイドフレームの支柱部の拡大平断面図。
【図５】本発明カートターミナルの別例の斜視図。
【図６】本発明カートターミナルの他の例の斜視図
【図７】従来カートターミナルの一例の斜視図。
【図８】図７のカートターミナルの縦断側面図
【発明を実施するための形態】
【００２１】
次に、図を参照しつつ本発明カートターミナルの実施の形態例について説明する。図１〜図６において、１は前後方向に延びた水平な足部、１ａは足部１の下面の両端部に設けたアジャスタ、２は前記足部１の長さ方向の略中央において垂直に立上げた細目の支柱部である。
【００２２】
前記足部１と支柱部２により側面視略逆Ｔ状のサイドフレームＳＦを構成する。サイドフレームＳＦにおける支柱部２は、図４に示すように、横向き略凹状の強度部材２ａとこの強度部材２ａの開放部を塞ぐ着脱自在のカバー部材２ｂによって形成されている。
【００２３】
上記支柱部２の構造と形態は一例であって本発明の支柱部２はこれに限られるものではない。また、支柱部２の高さも、本発明カートターミナルが備える機能等のために、図１に示した高さの支柱部２は一例であって、図５、図６に例示する高さの支柱部２を備えた本発明カートターミナルもある。
【００２４】
本発明において、前記サイドフレームＳＦは、その２つを左右方向で離間して配置し、配置した左右のサイドフレームＳＦの対向面の上部に、上部連結フレーム３を架設し、サイドフレームＳＦの対向面の下部にバンパー４を架設して結合することにより、左右のサイドフレームＳＦ，上部結合フレーム３、及び下部のバンパー４によるカートターミナルの基体を構成する。
【００２５】
ここで上部連結フレーム３は、一例としてやや縦長の略凹状の断面形状を有する上部連結フレーム本体３ａと、この上部連結フレーム本体３ａの上面開口に着脱可能に被せた略細幅板状の蓋部３ｂとから成り、蓋部３ｂの略中央ライン上には電源コンセントを含む電気コネクタ３ｃが配置されている。
【００２６】
また上部連結フレーム３の前後幅は、細目の前後幅を持つ支柱部２と同じ大きさに整えてある。また上部連結フレーム３の上下幅（高さ）は、後述の異なる高さの２枚の天板５，６の設置位置との関係で、前後幅の少なくとも２倍の大きさに設定されている。
【００２７】
上部連結フレーム３の内部は中空であるから、蓋部３ｂに設けられる電気コネクタ３ｃへの配線コードの挿通部やその余長コードの収容部として機能する構成（配線挿通部や配線保持用のフックやトレー等）を備えている。
【００２８】
上述した支柱部２と上部連結フレーム３は、高さが異なる２枚の天板５，６を支持するための天板支持部材を備えている。
【００２９】
天板支持部材は、高い位置の天板５と低い位置の天板６の両方を、両天板５，６の長さ方向の外側端部で支持するためのブラケット状支持部材７，８と、両天板５，６の中間部分を長さ方向の少なくとも２箇所で支持するための短アーム状支持部材９，１０により形成されている。
【００３０】
ブラケット状支持部材７，８は、一例として側面視略Ｌ状の鋼板製で短辺側に外向きに複数の係止爪７ａ、８ａを備え、この係止爪７ａ，８ａが支柱部２の強度部材２ａの前後面に形成した複数の係止スリット２１ａに係着されることにより、長辺側の上面で天板５，６の下面を下から支える。
【００３１】
短アーム状支持部材９，１０は、上部連結フレーム本体３ａの上面に、適宜ピッチで取付けられ、前記天板５，６の中間部分をその下面から支える。
【００３２】
上記のブラケット状支持部材７，８と短アーム状支持部材９，１０によって、夫々に支持される高さが異なる２枚の天板５，６の高さは、一例として次のように設定している。
【００３３】
高い方の天板５の高さは、立ち姿勢でその天板上で作業等を行うのに適した高さ、例えば９００ｍｍ程度に設定し、低い方の天板６の高さは、椅子に掛けた姿勢でその天板上で作業等を行うのに適した高さ、例えば７２０ｍｍ程度に設定している。なお、天板５，６の上記高さは一例であって目的に応じた他の高さとすることは任意である。
【００３４】
バンパー４は、図の例では、外側寸法の離間幅を２００〜３００ｍｍ程度に設定した２本の角パイプ材によるバンパー本体４ａと、２本のバンパー本体４ａ同士を両側端と中間部で繋ぐ結合部材４ｂにより下部連結フレームの一例に形成され、左右のサイドフレームＳＦの対向面に、ボルト・ナットやビス止め等により固着している。前記バンパー４におけるバンパー本体４ａは、接近配置されるナースカートのキャスタ付の足が当接してそれ以上進めないストッパとして機能する。このバンパー４は、２本の角パイプ材によらず、例えば前後端を略コ状等に折曲げた鋼板部材によって代替することも可能である。下部連結フレームはバンパー機能を果たせば上記実施形態例に限られない。
【００３５】
前記バンパー４は、その前後幅が前記支柱部２の前後幅よりも大きく形成されていることによってそのストッパ機能を果している。因みに、図７、図８に示した従来のナースカートターミナルでは、筐体部Ｓｂの前後幅が幅広であるためその下部がナースカートを接近配置するときのストッパとして機能している。
【００３６】
上部連結フレーム３と下部連結フレームの一形態のバンパー４の間には、上部連結フレーム３の前後幅により、前後２枚の幕板状のパネル部材１１が着脱可能に設けられている。なおパネル部材１１は、本発明カートターミナルの必須部材ではない。
【００３７】
図１〜図４により説明した本発明の実施形態は、本発明カートターミナルＣＴの基本形態の一例であるが、図５と図６により本発明カートターミナルＣＴの別例と他の例について説明する。
【００３８】
図５に示した本発明カートターミナルＣＴでは、左右のサイドフレームＳＦの支柱部２に、その上端が、前記段違い天板５，６の高さより高い位置になる上部側２ａを有する支柱部材を使用している。これは、左右の支柱部２の上部側２ａの対向面間にディスプレイパネル等を係止する支持バー部材１２を架設するためである。
【００３９】
図６の本発明カートターミナルＣＴは、図１〜図４で説明したカートターミナルＣＴに比べ、右側の支柱部２が天井付近まで延びた高さを備えている。これは天井側から垂れ下がる電源、信号等の各配線をこの支柱部２の内部を通して支柱部２の下方に導き、その部位から上部連結フレーム３や天板５，６に配置される電気コネクタに導入した配線が接続される。因みに床側から立上る配線は前記パネル部材１１の間の配線収納部に導入される。
【００４０】
本発明カートターミナルＣＴは以上の通りであって、カートターミナルＣＴの前後両面に高さ違いで２枚の天板を設けたから、次の作用効果を奏する。
即ち、高い方の天板の高さは、立ち姿勢でその天板上で作業等を行うのに適した高さに設定され、低い方の天板の高さは、椅子に掛けた姿勢でその天板上で作業等を行うのに適した高さに設定されているから、１台のカートターミナルにおいて作業等の内容に適した立ち姿勢、或は椅子に掛けた姿勢で看護師業務を遂行することができる。
【符号の説明】
【００４１】
１  足部
２  支柱部
３  上部連結フレーム
４  バンパー
５  高さが高い天板
６  高さが低い天板
７，８  ブラケット状支持部材
９，１０  短アーム状支持部材
１１  幕板状のパネル部材
【図１】
2020192176.tif 000003
【図２】
2020192176.tif 000004
【図３】
2020192176.tif 000005
【図４】
2020192176.tif 000006
【図５】
2020192176.tif 000007
【図６】
2020192176.tif 000008
【図７】
2020192176.tif 000009
【図８】
2020192176.tif 000010